(57)【要約】より質の高い健康管理を実現するための健康データ収集装置を提供する。  患者端末２１は、バイタルセンサ２５で取得した生体データとマイク２７から入力した音声データを互いに関連付けてメモリ３３に記憶するデータ処理部３４を備える。メモリ３３に記憶された生体データと音声データは、通信ネットワーク２４を介してセンターサーバー２２に送信され、データベースサーバー４０に蓄積される。医師端末２３は、データベースサーバー４０から受信した生体データと音声データを記憶するメモリ５２と、メモリ５２に記憶された生体データと音声データを互いに関連付けてＣＲＴディスプレー５５とスピーカ５３に出力するデータ処理部５７を備える。【特許請求の範囲】
【請求項１】
生体データを取得するための測定部と、
音声データ及び／又は画像データを入力するための入力部と、
前記測定部により取得した前記生体データと前記入力部で入力した前記音声データ及び／又は画像データを互いに関連付ける第１のデータ処理部と、
前記第１のデータ処理部で互いに関連付けられた前記生体データと音声データ及び／又は画像データとを記憶する第１の記憶部と、
前記第１の記憶部で記憶した互いに関連付けられた前記生体データと前記音声データ及び／又は画像データとを通信ネットワークを介して送信する第１の通信部と、
前記第１の通信部で送信された互いに関連付けられた前記生体データと前記音声データ及び／又は画像データとを蓄積する蓄積部と、
前記互いに関連付けられた前記生体データと前記音声データ及び／又は画像データとを前記蓄積部から前記通信ネットワークを介して受信する第２の通信部と、
前記第２の通信部で受信した前記生体データと音声データ及び／又は画像データを互いに関連付けて出力する第１の出力部と
を備えた健康データ収集装置。
【請求項２】
前記第１のデータ処理部は、前記生体データに対して前記音声データ及び／又は画像データが関連付けされていることを示す情報を付加して前記第１の記憶部に記憶させる請求項１に記載のデータ収集装置。
【請求項３】
前記第１のデータ処理部は、前記音声及び／又は画像データに対して前記生体データが関連付けされていることを示す情報を付加して前記第１の記憶部に記憶させる請求項１に記載のデータ収集装置。
【請求項４】
前記生体データと前記音声データ及び／又は画像データを出力する第２の出力部をさらに備え、
前記第１のデータ処理部は、前記第１の記憶部から前記生体データと前記音声データ及び／又は前記画像データを取り出して関連付けて、前記第２の出力部に出力させる請求項１から請求項３のいずれか１項に記載の健康データ収集装置。
【請求項５】
前記第２の通信部で受信した互いに関連付けられた前記生体データと音声データ及び／又は画像データとを記憶する第２の記憶部と、
前記第２の記憶部で記憶した前記生体データと前記音声データ及び／又は画像データとを取り出して関連付け、前記第１の出力部に出力させる第２のデータ処理部と
をさらに備える請求項１から請求項４のいずれか１項に記載の健康データ収集装置。
【請求項６】
被測定者が操作する操作部と、
生体データを取得するための測定部と、
音声データ及び／又は画像データを入力するための入力部と、
前記測定部により取得した前記生体データと前記入力部で入力した前記音声データ及び／又は画像データを互いに関連付けるデータ処理部と、
前記データ処理部で互いに関連付けられた前記生体データと音声データ及び／又は画像データとを記憶する記憶部と、
前記記憶部で記憶した互いに関連付けられた前記生体データと前記音声データ及び／又は画像データとを通信ネットワークを介して送信する通信部と
を備えた健康データ収集装置の端末。
【請求項７】
前記データ処理部は、前記生体データに対して前記音声データ及び／又は画像データが関連付けされていることを示す情報を付加して前記記憶部に記憶させる請求項６に記載の端末。
【請求項８】
前記データ処理部は、前記音声及び／又は画像データに対して前記生体データが関連付けされていることを示す情報を付加して前記記憶部に記憶させる請求項６に記載の端末。
【請求項９】
前記生体データと前記音声データ及び／又は画像データを出力する出力部をさらに備え、
前記データ処理部は、前記記憶部から前記生体データと前記音声データ及び／又は前記画像データを取り出して関連付けて、前記出力部に出力させる請求項６から請求項８のいずれか１項に記載の端末。
【請求項１０】
前記操作部はタッチパネルである請求項６から請求項９のいずれか１項に記載の端末。
【請求項１１】
前記操作部は押しボタンである請求項６から請求項９のいずれか１項に記載の端末。
【請求項１２】
互いに関連付けて記憶された生体データと音声データ及び／又は画像データを通信ネットワークを介して受信する通信部と、
前記通信部で受信した互いに関連付けられた前記生体データと音声データ及び／又は画像データを記憶する記憶部と，
前記生体データと前記音声データ及び／又は画像データを出力する出力部と、
前記記憶部に記憶された前記生体データと音声データ及び／又は画像データを取り出し、互いに関連付けて前記出力部に出力させるデータ処理部と
を備える健康データ収集装置の端末。
【発明の詳細な説明】
【技術分野】
【０００１】  本発明は、医師等の医療提供者が遠隔的に患者の健康状態を把握するために、在宅等において血圧や血糖等の患者の健康に関するデータを収集して医療提供者の利用に供する健康データ収集装置に関する。
【背景技術】
【０００２】  従来、このような健康データ収集装置にはデータ入力部と通信部を備え、通信回線によって外部の通信先と通信するものがあった（特許文献１参照）。【０００３】  図１４は、前記特許文献１に記載された健康データ収集装置である。この健康データ収集装置は大きく分けて被測定者である患者側に設置される患者端末１と、患者端末１により収集されたデータを蓄積するための蓄積手段であるデータベースサーバー１１、アプリケーションサーバ１０、及び管理端末１２を備えたセンターサーバー３と、このセンターサーバー３に蓄積されたデータを医師等の医療提供者が参照するために医師端末２とを備える。患者端末１、センターサーバー３、及び医師端末２は、通信ネットワーク４により互いに接続されている。【０００４】  患者端末１は、患者の生体データを収集するための体温計や血圧計等のバイタルセンサ５と、このバイタルセンサ５で収集されたデータを記憶する記憶部（図示せず）と、患者が操作するための操作部（図示せず）とを備える。また、患者端末１は、記憶部で記憶したデータをセンターサーバー３に通信ネットワーク４を介して伝送するための通信制御部６を備えている。【０００５】  患者端末１は上記のほかに画像と音声を使用して医師端末と通信ができる患者端末のＴＶ電話装置７を備えている。【０００６】  図１５に、図１４の健康データ収集装置の患者端末１として使用可能な装置の一例の外観図を示す。この患者端末１には患者が操作をするためのタッチパネル付液晶ディスプレー１４と、バイタルセンサ５の一例である体温計１３が接続されている。また、この患者端末１は、ＴＶ電話装置７の音声入力用のマイク１６と画像入力用のカメラ１７を備えている。【０００７】  一方、図１４を参照すると、医師端末２は、センターサーバー３との通信と医師がデータを参照するための表示とを行う通信線制御部８を備えている。また、医師端末２は、患者端末１とＴＶ電話での通話を行うためのＴＶ電話装置９を備えている。【０００８】  図１６に医師側端末２の通信制御装部８の画面表示例を示す。この画面において患者名を選択すると、その患者の患者端末１から送信された体温、血圧、脈拍等のデータが一覧表４９で表示される。【０００９】  患者が体温計１３等の測定手段により測定したデータは、患者端末１の通信制御装置６に記憶された後、通信ネットワーク４を介してセンターサーバー３に伝送されてセンターサーバー３内のデータベースサーバー１１に蓄積される。【００１０】  医師が医師端末２によりセンターサーバー３内のデータベースサーバー１１から患者の生体データを取り出す操作をすると、データベースサーバー１１から該当する患者の生体データが通信ネットワーク４を経て医師端末２の通信制御部８に呼び出され、図１６に示すようにディスプレー上に表示される。【００１１】  医師は、表示されたデータによって患者の健康状態を把握し、治療や診断の参考資料として役立てる。また、必要があれば、医師は医師端末２のＴＶ電話装置９を使用して患者端末２のＴＶ電話装置７と通信を行い、画像と音声により患者とコミュニケーションをとることができる。【００１２】  このように従来の健康データ収集装置は、医師と��者に物理的距離がある場合でも患者の健康データを医師が把握でき、医師と患者が相互に行き来することが充分できない場合でも充実した健康ケアができる環境を提供することができていた。【００１３】  しかしながら、前記従来の健康データ収集装置には次の問題点がある。第１に、生体データの測定は患者自身が在宅にて行うのが普通であるが、患者は医療のプロではないので、生体データを測定するときに測定方法に疑問を感じたり、測定ミスを起こしたりしがちである。【００１４】  第２に、医師等の医療提供者は、医師端末２を操作して患者の生体データを取り出し、図１６に示すような画面上でデータを参照しながら患者の健康状態を確認していく作業を行う。換言すれば、医師は数値のみによって患者の状況を把握する必要がある。しかしながら、前述のとおり不慣れな患者の測定したデータもあるので、数値のみで判断するのではなく、実際には患者がどのような状態で測定を行っているかという情報や、患者が自分の体調について気になっている事等の他の情報を参考にしながら判断する必要が生じる。【００１５】  このような場合、医師は患者の状態をより詳しく把握するために患者と連絡を取ることになる。互いに遠隔地にいる患者と医師が連絡を取るための手段としては、前述のＴＶ電話や、公衆回線を使用した電話が考えられる。しかしながら、これらの通信手段はリアルタイムに双方が個々の端末もしくは電話の付近にいることが必須条件となる。患者がデータを送信するタイミングと医師がデータを確認するタイミングは通常の場合まったく異なるため、医師が連絡を取ろうとしても患者が不在で連絡が取れない場合がある。この場合、医師は何度も連絡を取る試みを行う等、大きな労力を費やす必要がある。実際に患者の状態が悪い場合はこの医師の労力は報われるが、前述のように単純な患者の測定ミス等が原因で医師が患者との連絡が必要であると判断した場合、医師の労力が無駄なものとなってしまう。【００１６】  第３に、患者側としても測定データについて感じたことや医師への質問等を医師に伝えたいことがある。この場合も医師側と同じ課題が発生する。リアルタイムでないコミュニケーション手段としてはメール等の手段が考えられる。しかし、医師にとってはパソコン操作は容易かもしれないが、患者は高齢者が多いので、患者にとってキーボード等の入力装置の扱いは難しい。また、操作を簡単するという配慮から、患者端末１は図１５に示すようなタッチパネル付液晶ディスプレー１４等の比較的単純な入力装置を採用しているため、患者端末１を使用した文字によるコミュニケーションは非常に困難である。【００１７】
【特許文献１】特開２００２−８３０６６号公報
【発明の開示】
【発明が解決しようとする課題】
【００１８】  本発明は、患者の測定した生体データに新たな情報を付加することにより遠隔での健康管理をより簡単にする健康データ収集装置を提供することを目的とする。また、本発明は、患者と医師等の医療提供者との間のコミュニケーションを円滑にして健康管理の質を高める健康データ収集装置を提供することを目的とする。
【課題を解決するための手段】
【００１９】  本発明の第１の態様は、生体データを取得するための測定部と、音声データ及び／又は画像データを入力するための入力部と、前記測定部により取得した前記生体データと前記入力部で入力した前記音声データ及び／又は画像データを互いに関連付ける第１のデータ処理部と、前記第１のデータ処理部で互いに関連付けられた前記生体データと音声データ及び／又は画像データとを記憶する第１の記憶部と、前記第１の記憶部で記憶した互いに関連付けられた前記生体データと前記音声データ及び／又は画像データとを通信ネットワークを介して送信する第１の通信部と、前記第１の通信部で送信された互いに関連付けられた前記生体データと前記音声データ及び／又は画像データとを蓄積する蓄積部と、前記互いに関連付けられた前記生体データと前記音声データ及び／又は画像データとを前記蓄積部から前記通信ネットワークを介して受信する第２の通信部と、前記第２の通信部で受信した前記生体データと音声データ及び／又は画像データを互いに関連付けて出力する第１の出力部とを備えた健康データ収集装置を提供する。【００２０】  入力部によって被測定者が入力した音声データ及び／又は画像データである患者側からの情報は、第１のデータ処理部によって測定部で取得された生体データに関連付けられて第１の記憶部に記憶される。第１の記憶部に記憶された生体データと音声データ及び／又は画像データは、第１の通信部によって通信ネットワークを介して蓄積部に伝送され、蓄積される。蓄積部に蓄積された生体データと音声データ及び／又は画像データは通信ネットワークを介して第２の通信部に伝送される。さらに、第１の出力部により生体データと音声データ及び／又は画像データが互いに関連付けて出力される。これによって生体データに患者側から音声や画像の形態の新たな情報を付加して遠隔地の医療提供者に送ることができる。従って、医療提供者は、個々の生体データをより有効に活用することができ、患者側の情報が不足していることによる医療提供者の判断の迷いや、その迷いを解消するために医療提供者が行う必要のある確認作業の手間を減らすことができる。その結果、遠隔での健康管理をより簡単にし、その質を高めることができる。さらに、生体データと関連して患者側から音声や画像の形態で情報を発信することが可能となるので、患者と医療提供者の間のコミュニケーションがより円滑にとなり、充実した遠隔医療を実現できる。【００２１】  前記第１のデータ処理部は、前記生体データに対して前記音声データ及び／又は画像データが関連付けされていることを示す情報を付加して前記第１の記憶部に記憶させる。生体データを参照することでそれに関連付けされた音声データ及び／又は画像データを確認することができるので、関連付けのための新たなないしは別個のデータが必要なく、関連付けをより簡単に行うことができる。【００２２】  代案としては、前記第１のデータ処理部は、前記音声及び／又は画像データに対して前記生体データが関連付けされていることを示す情報を付加して前記第１の記憶部に記憶させる。音声データまたは画像データを参照する際の関連する生体データの参照が容易になる。その結果、患者が医療提供者に特に伝え���い事項や、患者が注目している生体データだけを医療提供者が確認すること等が容易に行え、医療提供者側の効率的なデータチェックが実現できる。【００２３】  健康データ収集装置は、前記生体データと前記音声データ及び／又は画像データを出力する第２の出力部をさらに備えてもよい。この場合、前記第１のデータ処理部は、前記第１の記憶部から前記生体データと前記音声データ及び／又は前記画像データを取り出して関連付けて、前記第２の出力手段に出力させる。患者が自らの測定した生体データに付加した音声データ及び／又は画像データを確認することができる。換言すれば、患者は、自ら発信した情報を確認することができるばかりか、自らの測定した生体データを関連する音声データや画像データと共に履歴ないしは記録として参照し、自分自身の健康管理のために役立てることができる。【００２４】  健康データ収集装置は、前記第２の通信部で受信した互いに関連付けられた前記生体データと音声データ及び／又は画像データとを記憶する第２の記憶部と、前記第２の記憶部で記憶した前記生体データと前記音声データ及び／又は画像データとを取り出して関連付け、前記第１の出力部に出力させる第２のデータ処理部とをさらに備えることが好ましい。【００２５】  本発明の第２の態様は、健康データ収集装置の患者端末を提供する。詳細には、本発明の第２の態様は、被測定者が操作する操作部と、生体データを取得するための測定部と、音声データ及び／又は画像データを入力するための入力部と、前記測定部により取得した前記生体データと前記入力部で入力した前記音声データ及び／又は画像データを互いに関連付けるデータ処理部と、前記データ処理部で互いに関連付けられた前記生体データと音声データ及び／又は画像データとを記憶する記憶部と、前記記憶部で記憶した互いに関連付けられた前記生体データと前記音声データ及び／又は画像データとを通信ネットワークを介して送信する通信部とを備えた健康データ収集装置の端末を提供する。【００２６】  患者端末は、前記生体データと前記音声データ及び／又は画像データを出力する出力部をさらに備えてもよい。この場合、前記データ処理部は、前記記憶部から前記生体データと前記音声データ及び／又は前記画像データを取り出して関連付けて、前記出力部に出力させる。【００２７】  患者端末の操作部はタッチパネルを備える。キーボード等の高齢者には困難な入力手段を必要とせず、画面そのものに触れるという簡単な操作だけで音声や画像による情報を発信することができ、高齢者にも使いやすい。【００２８】  代案としては、患者端末の操作部は押しボタンを備える。キーボード等の高齢者には困難な入力手段を必要とせず、押しボタンを押すという簡単な操作だけで音声や画像による情報を発信することができ、高齢者にも使いやすい。【００２９】  本発明の第３の態様は、健康データ収集装置の医療提供者端末を提供する。詳細には、本発明の第３の態様は、互いに関連付けて記憶された生体データと音声データ及び／又は画像データを通信ネットワークを介して受信する通信部と、前記通信部で受信した互いに関連付けられた前記生体データと音声データ及び／又は画像データを記憶する記憶部と，前��生体データと前記音声データ及び／又は画像データとを出力する出力部と、前記記憶部に記憶された前記生体データと音声データ及び／又は画像データを取り出し、互いに関連付けて前記出力部に出力させるデータ処理部とを備える健康データ収集装置の端末を提供する。
【発明の効果】
【００３０】  本発明の健康データ収集装置は、生体データと関連付けられた音声データ及び／又は画像データを記憶し、さらに生体データと音声データ及び／又は画像データを互いに関連付けて出力できる。従って、患者側から実用性の高い情報発信をすることができ、それぞれの生体データから得られる情報量が格段に上昇する。これにより遠隔での健康管理がより簡単になり、患者と医師等の医療提供者との間の円滑なコミニュケーションを実現できる。
【図面の簡単な説明】
【００３１】
【図１】本発明の第１実施形態に係る健康データ収集装置のブロック図。
【図２】本発明の第１実施形態における患者端末のブロック図。
【図３】本発明の第１実施形態における医師端末のブロック図。
【図４】本発明の第１実施形態における健康データ収集装置の患者端末の画面イメージ図。
【図５】本発明の第１実施形態における健康データ収集装置のデータ構造図。
【図６】本発明の第１実施形態における健康データ収集装置の医師端末の画面イメージ図。
【図７】本発明の第１実施形態における健康データ収集装置の患者端末の画面イメージ図。
【図８】本発明の第２実施形態に係る健康データ収集装置の患者端末のブロック図。
【図９】本発明の第２実施形態における健康データ収集装置の患者端末の画面イメージ図。
【図１０】本発明の第２実施形態における健康データ収集装置の医師端末の画面イメージ図。
【図１１】本発明の第２実施形態における健康データ収集装置の患者端末の画面イメージ図。
【図１２】本発明の第３実施形態における健康データ収集装置の外観図。
【図１３】本発明の第３実施形態における健康データ収集装置の患者端末の画面イメージ図。
【図１４】従来の健康データ収集装置のブロック図。
【図１５】従来の健康データ収集装置の外観図。
【図１６】従来の健康データ収集装置の医師端末の画面イメージ図。
【符号の説明】
【００３２】  ２１  患者端末
２２  センターサーバー
２３  医師端末
２４  通信ネットワーク
２５  バイタルセンサ
２７  マイク
２８  音声入力回路
３１  液晶ディスプレー
３３，５２  メモリ
３４，５７  データ処理部
３５  タッチパネル
３６，４１，５１  通信制御部
３８  カメラ
３９  画像入力回路
４０  データベースサーバー
５５  ＣＲＴディスプレー
３２，５６  画像出力回路
５８  操作部
６４  音声録音ボタン
７４，７９  音声メモボタン
３５  音声メモボタン
１６４  画像撮影ボタン
１７２，１７４，１７９  画像メモボタン
【発明を実施するための最良の形態】
【００３３】（第１実施形態）
以下、本発明の健康データ収集装置を実施の形態に基づいて説明する。【００３４】  図１に本発明の第１実施形態に係る健康データ収集装置のブロック図を示す。この健康データ収集装置は、大きく分けて被測定者である患者側に設置される患者端末２１と、患者端末２１により収集されたデータを蓄積するための蓄積部であるセンターサーバー２２と、センターサーバー２２に蓄積されたデータを医師等の医療提供者が参照するために医療提供者端末ないしは医師端末２３とを備える。患者端末２１、センターサーバー２２、及び医師端末２３は、通信ネットワーク２４により互いに接続されている。【００３５】  図２を併せて参照すると、患者端末２１は、体温計や血圧計等の患者の生体データを収集するための測定手段としてバイタルセンサ（測定部）２５、バイタルセンサ２５用の入力回路２６、患者が音声を入力するためのマイク（入力部）２７、及び音声入力回路２８を備える。また、患者端末２１は、スピーカ（出力部）２９、スピーカ２９用の音声出力回路３０、液晶ディスプレー（出力部）３１、及び液晶ディスプレー３１用の画像出力回路３２を備える。【００３６】  また、患者端末２１は、生体センサ２５で測定された生体データと、マイク２７で入力された患者の音声である音声データとを記憶するためのメモ（記憶部）３３を備える。さらに、患者端末２１はデータ処理部３４を有する。このデータ処理部３４は２つの機能を有する。第１の機能としては、データ処理部３４はバイタルセンサ２５からの生体データとマイク２７からの音声データを互いに関連付けてメモリ３３に記憶する。第２の機能としては、データ処理部３４は、メモリ３３に記憶された生体データと音声データを取り出して関連付けて取り出し、液晶ディスプレー３１とスピーカ２９に出力させる。さらにまた、患者端末２１は、液晶ディスプレー３１と一体化されたタッチパネル（操作部）３５を備える。通信制御部３６は、センターサーバー２２への生体データ及び音声データの送信を含む通信ネットワーク２４を介したセンターサーバー２２との通信を実行する。また、動作制御部３７は、タッチパネル３５から入力される患者の操作ないしは命令等に基づいて、通信制御部３６及びデータ処理部３４を含む患者端末２１の全体の動作を制御する。【００３７】  図１を参照すると、センターサーバー２２は、データベースサーバー４０と通信制御部４１とを備える。データベースサーバー４０は、患者端末２１の通信制御部３６から受信した生体データ及び音声データを含む種々のデータを蓄積する。通信制御部４１は、患者端末２１からの生体データ及び音声データの受信、並びに医師端末２２への生体データ及び音声データの送信を含む、患者端末２１及び医師端末２２との種々の通信を実行する。【００３８】  図３を併せて参照すると、医師端末２３は、センターサーバー２２からの生体データ及び音声データの受信を含む通信ネットワーク２４を介したセンターサーバー２２との通信を実行する通信制御部５１を備える。また、医師端末２３は、通信制御部５１が受信した生体データ及び音声データを記憶するメモリ（記憶部）５２を備える。さらに、医師端末２３は、スピーカ５３、スピーカ５３用の音声��力回路５４、ＣＲＴディスプレー（出力部）５５、及びＣＲＴディスプレー５５用の画像出力回路５６を備える。データ処理部５７はメモリ５２に記憶された生体データと音声データを取り出し、互いに関連付けてスピーカ５３とＣＲＴディスプレー５５に出力させる。【００３９】  また、医師端末２３は、医師等の医療提供者が医師端末２を操作するためのキーボード、マウス等からなる操作部５８を備える。動作制御部５９は通信制御部５１及びデータ処理部５７を含む医師端末２３の全体の動作を制御する。【００４０】  以下、本実施形態に係る健康データ収集装置の動作を説明する。図４に本実施形態の健康データ収集装置の患者端末２１の液晶ディスプレー３１の画面の一例を示す。この画面はバイタルセンサ２５の一例である体温計で体温を測定した直後画面を示す。体温表示エリア６１には、体温計から入力回路２６を介して入力された体温測定値（３７．５℃）が表示されている。患者がＯＫボタン６２を押せば体温データが確定し、データ処理部３４を介してメモリ３３に記憶される。もし、患者が再測定を望む場合は、再測定ボタン６３を押せば現在体温表示エリア２４に表示されている体温データがいったんクリアされ、再測定を行うことができる。【００４１】  患者は測定した生体データ（この例では体温データ）に音声データとして何らかの情報を付加することができる。この例では体温表示エリア６１に表示された体温（３７．５℃）は、通常の体温より少し高い。患者はこのデータを測定する直前に入浴しており、その影響で少し体温が上がっている。この体温上昇の原因を患者は承知していたが、毎日この時間に体温を測ることになっているのでデータが欠落するのは不適切であると思い体温を測定した。このような場合に、付加的な情報を音声で入力することが好ましい。【００４２】  詳細には、患者は音声録音ボタン６４を押し、マイク２７に向かって音声を入力する。この例の場合、例えば患者は「これを測る直前に入浴しました。」と、マイク２７に向かって話す。マイク２７から入力された音声信号は、音声入力回路２８及びデータ処理部３４を経て、生体データ（この例では体温データ）と同様にメモリ３３に記憶される。【００４３】  音声データは、単にメモリ３３に記憶されるのではなく、データ処理部３４によって生体データと関連付けられた上でメモリ３３に記憶される。本実施形態では、データ処理部３４は生体データに対して音声データが関連付けされていることを示す情報を付加してメモリ３３に記憶させる。これとは逆に、データ処理部３４は、音声データに対して生体データが関連付けされていることを示す情報を付加してメモリ３３に記憶させてもよい。【００４４】  本実施形態における生体データ（体温データ）のデータ構造を図５に示す。１つの体温データは、日付エリア６５、時刻エリア６６、及び体温エリア６７に加え、患者により録音された音声ファイルのファイル名が収容されている関連付けられた音声ファイル名エリア６８からなっている。例えば２００３年１月１日の８時８分の体温データは３７．５℃で、関連付けられた音声ファイル名は″２００３１０１０８０８ｔａｉｏｎ．ｗａｖ″である。【００４５】  以上のように、生体データとそれに関連付けられた音声ファイルが患者端末２１のメモリ３３内に記憶される。患者がタッチパネル３５を操作してデータ送信命令を患者端末２１に入力すると、通信制御部３６はメモリ３３から該当する生体データ（この例では体温データ）とそれに関連付けられた音声データを読み出し、通信ネットワーク４を経てセンターサーバー２２に送信する。生体データとそれに関連付けられた音声データはセンターサーバー２２の通信制御部４１により受信され、データベースサーバー４０に蓄えられる。【００４６】  医師は、医師端末２を操作して、該当する患者のデータを取り出すことができる。詳細には、医師が医師端末２の操作部５８を操作して受信命令を医師端末２３に入力すると、医師端末２の通信制御部５１から通信ネットワーク２４を介してセンターサーバー２２へ受信要求が送られる。センターサーバー２２の通信制御部４１がこの受信要求を受信すると、データベースサーバー４０から該当する生体データが取り出される。通信制御部４０は取り出された生体データを通信ネットワーク２４経由で医師端末２３に送信する。【００４７】  生体データは医師端末２３の通信制御部５１で受信され、メモリ５２に記憶される。また、受信された生体データ５１はデータ処理部５７及び画像出力回路５６を経てＣＲＴディスプレー５５に表示される。図６に医師端末２３のＣＲＴディスプレー５５に表示された画面の一例を示す。ドラッグメニュー７０で患者名を指定すると、生体データが一覧表の形式で表示される。前述した体温データは体温データエリア７１に表示されている。【００４８】  データ処理部５７は、ＣＲＴディスプレー５５で表示する生体データにそれに関連付けられた音声データが存在すると、その生体データの右隣の欄に音声メモボタンを表示するようになっている。図６の例では、前述のように体温データについて患者により音声が録音されているので体温エリア７１の右隣に音声メモボタン７２が表示されている。同様に、血糖値データを含む血糖値エリア７３の右隣にも音声メモボタン７４が表示されている。一方、体重データを含む体重エリア７５には関連付けられた音声データがないので、音声メモボタンのエリアは空欄７６となっている。【００４９】  医師が図６中の体温エリア７１の右隣の音声メモボタン３３をクリックすると、データ処理部５７はメモリ５２中の体温データ（図５）を参照し、当該体温データに関連付けられた音声ファイルのファイル名を取得する。次に、データ処理部５７は医師端末２３の通信制御部５１、通信ネットワーク２４、及びセンターサーバー２２の通信制御部４１を介してデータベースサーバー４０にアクセスして、データベースサーバー４０を検索する。その結果、当該体温データに関連付けられた音声ファイルが医師端末２３のメモリ５２にダウンロードされる。ダウンロードされた音声ファイルに格納された音声データは、データ処理部５７及び音声出力回路５４を介してスピーカ５３から出力される。【００５０】  この例では、患者により録音された「これを測る直前に入浴しました。」と音声がスピーカ５３で再生される。これにより医師は３７．５℃という比較的高い体温が体調の異常ではなく、患者が体温測定の��前に入浴したことに起因することを直ちに把握することができる。よって、医師はこの体温データに対して特に確認する必要がなく、特段の労力を要しない。また、親切な医師であれば、測定に対して適切なアドバイスをすることもできる。この場合、緊急性を要しないので、電子メール等の通信手段を使用すれば被測定者及び医師とも時間を拘束されず円滑にコミュニケーションをはかることができる。【００５１】  図６の血糖値エリア７３には、１００ｍｇ／ｄｌという血糖値データ表示されており、前述のように血糖値エリア７３に対応する音声メモボタン７４が表示されている。この音声メモボタン７４がクリックされると、スピーカ５３により患者の音声が再生される。例えば、患者が音声データとして「このデータは正常なのでしょう？」と質問を録音していれば、スピーカ５３からこの質問の音声が再生される。医師は患者の質問を直ちに把握することができ、これに対して適切な返答を行うことができる。【００５２】  このように本実施形態の健康データ収集装置によれば、生体データに関連付けた音声データにより患者側から医師側に情報発信をすることができるため、医師はそれに対して適切なアドバイスを返信することが可能となる。【００５３】  患者は、患者端末１により自分自身が録音した音声を再生することも可能である。図７に患者端末２１の液晶ディスプレー３１に表示された体温データの確認画面の一例を示す。この図では、メモリ３３に記憶された体温データ日付及び時刻とともに一覧表の形式で表示されている。データ処理部３４は、体温データにそれに関連付けられた音声データが存在する場合、その体温データのデータ表示エリア７８の右隣に音声メモボタン７９を表示するようになっている。例えば、２００３年１月１日の８時８分の体温データにはそれに関連付けられた音声データが存在するので、医師端末２の画面（図６参照）と同様に、体温データ表示エリア７８の右隣に音声メモボタン７９が表示されている。【００５４】  患者が図７中の音声メモボタン７９を押すと、データ処理部３４はメモリ３３内を検索する。その結果、当該体温データに関連付けられた音声データが音声出力回路３０を介してスピーカ２９から出力される。従って、患者は音声メモボタン７９を押すだけで、自分自身が録音した音声データを確認することができる。【００５５】  このように、本実施形態の健康データ収集装置は、患者端末２１により生体データと関連付けられた音声データを記憶し、それらを関連付けてセンターサーバー２２に出力し、さらに医師端末２３で生体データと共に関連付けられた音声データを閲覧できるようにしたため、患者側から医師側に実用性の高い情報発信をすることができ、医師が個々の生体データから得られる情報量が格段に上昇させることができる。従って、医師側にとっては生体データだけでは困難な判断も、それに関連付けられた音声データを組み合わせることで判断が飛躍的な容易になる。これにより医師の無駄な労力が軽減され、必要な仕事に注力することができる。【００５６】  また、被測定者側にとっても、電話等で医師に尋ねるのをためらうような僅かに疑問に思っていること等を手軽に情報発信し、医師に伝えることができる。��って、医師側と患者側のコミュニケーションが円滑に行え、両者の信頼関係をより密にすることができる等、遠隔での健康管理の質を格段に向上させることができる。【００５７】  さらに患者端末１側にはタッチパネル３５のようなシンプルなインターフェースを用いているので、キーボードやマウス等のような比較的操作の難度が高い入力装置の使用を高齢者に強いる必要がない。【００５８】（第２実施形態）
本発明の第２実施形態の健康データ収集装置は、音声データに加え画像データを生体データに付加できる点が第１実施形態と異なる。【００５９】  図８を参照すると、第２実施形態における患者端末２１は、画像撮影用のカメラ３８及びカメラ３８用の画像入力回路３９を備える。データ処理部３４はバイタルセンサ２５からの生体データをカメラ３８からの画像データ及びマイク２７からの音声データに互いに関連付けてメモリ３３に記憶する機能を有する。また、データ処理部３４は、メモリ３３に記憶された生体データとそれに関連付けられた画像データ３４及び音声データを取り出し、液晶ディスプレー３１とスピーカ２９に出力させる機能を有する。【００６０】  第２実施形態における医師端末２３のデータ処理部５７（図３参照）は、メモリ５２に記憶された生体データと音声データ及び画像データを取り出し、それらを互いに関連付けてスピーカ５３とＣＲＴディスプレー５５に出力させる。【００６１】  また、第２実施形態におけるセンターサーバー２２のデータベースサーバー４０は、患者端末２１の通信制御部３６から受信した生体データ、音声データ、及び画像データを含む種々のデータを蓄積する。【００６２】  図９に本実施形態の健康データ収集装置の患者端末２１の液晶ディスプレー３１の画面の一例を示す。体温表示エリア６１には体温データが表示されており、ＯＫボタン６２が押されると体温データが確定し、再測定ボタン６３が押されれば再測定が可能となる。患者は、画像撮影ボタン１６４を押した後、カメラ３８に向いて動作を行いつつ、マイク２７に向かって音声を入力する。カメラ３８で撮影された画像及びマイク２７で入力された音声は、データ処理部３４により生体データ（この例では体温データ）に対して関連付けてメモリ３３に記憶される。以上のように、患者は画像と音声により生体データに情報を付加することができる。【００６３】  メモリ３３に記憶された生体データとそれに関連付けられた音声データ及び画像データは、患者端末２１からセンターサーバー２２へ通信ネットワーク２４経由で送信され、データベースサーバー４０に蓄積される。【００６４】  データベースサーバー４０に蓄積された生体データは医師端末２３で受信され、メモリ５２に記憶される。図１０は医師端末２３の画面の一例を示し、患者名指定用のドラッグメニュー７０、体温エリア７１、血糖値エリア７３、及び体重エリア７５を含む。体温エリア７１の隣に表示された画像メモボタン１７２がクリックされると、データ処理部５７はメモリ５２中の体温データ（図５）を参照し、当該体温データに関連付けられた音声ファイル及び画像ファイルのファイル名を取得する。次に、データ処理部５７はデータベースサーバー４０にアクセスして検索を実行する。その結果、当該体温データに関連付けられた音声ファイル及び画像データが医師端末２３のメモリ５２にダウンロードされる。ダウンロードされた音声ファイルに格納された音声データは、データ処理部５７及び音声出力回路５４を介してスピーカ５３から出力される。また、ダウンロードされた画像ファイルに格納された画像データは画像出力回路５６を介してＣＲＴディスプレー５５で再生される。血糖値エリア７３の隣に表示された画像メモボタン１７４がクリックされた場合も、同様の手順で血糖値データに関連付けられた音声データ及び画像データがスピーカ５３とＣＲＴディスプレー５５により再生される。以上のように、医師は医師端末２３により生体データに関連付けられた患者の画像と音声を閲覧できる。【００６５】  図１１は患者端末２１に表示された体温データの確認画面の一例を示す。体温データのデータ表示エリア１７８の右隣の画像メモボタン１７９が押されると、データ処理部３４はメモリ３３内を検索する。その結果、当該体温データに関連付けられた音声データが音声出力回路３０を介してスピーカ２９から出力され、かつ当該体温データに関連付けられた画像データが画像出力回路３２を介して液晶ディスプレー３１で再生される。従って、患者は画像メモボタン１７９を押すだけで、自分自身が録音した音声と録画した画像を確認することができる。【００６６】  （第３実施形態）
図１２に本発明の第３実施形態に係る健康データ収集装置の患者端末２２１の外観図を示す。第１実施形態と異なる点は、液晶ディスプレー２４０は備えるがタッチパネル（図２の符号３５）は備えていない点である。換言すれば、液晶ディスプレー２４０は、表示の機能のみを有する。【００６７】  本実施形態の患者端末２２１は、タッチパネルに代わる操作部として、上下ボタン２４４、ＯＫボタン２４３、キャンセルボタン２４２、及び数字ボタン２４１を備える。これらのボタンはすべて押しボタンである。また、患者端末２２１は、第１実施形態の患者端末２１と同様に、音声入力用のマイク２１６を備える。【００６８】  図１３は、液晶ディスプレー２４０の画面の一例を示す。この例は、第１実施形態の図４と同様、体温を測定した直後の画面である。この画面は体温表示エリア２４５、終了メニュー２４６、再測定メニュー２４７、及び音声録音メニュー２４８を含む。【００６９】  患者端末１の基本操作は、画面を見ながら上下ボタン２４４によってメニュー項目を選択し、ＯＫボタン２４３によってメニューの実行を確定することによって行う。選択されている項目は、背景が黒色で生じされ、文字や記号が白色で表示される。【００７０】  図１３の例では、音声録音メニュー２４８が選択されている。この状態で患者がＯＫボタン２４３を押せば録音が開始され、患者がマイク２１６に向かって話せばそれが録音される。【００７１】  文字や記号の表示用の液晶ディスプレー２４０と操作用の押しボタン２４１〜２４４の組合せにより、患者端末２２１から入力可能な健康管理に役立つ情報量を増やすことができるので、より充実した健康管理サービスが達成できる。また、押しボタン２４１〜２４４は、キーボード等の入力装置のような比較的高度な操作は不要であるので、高齢者にも使いやすい。【００７２】  添付図面を参照して本発明を完全に説明したが、当業者にとって種々の変更及び変形が可能である。従って、そのような変更及び変形は辺発明の意図及び範囲から離れない限り、本発明に含まれると解釈されなければならない。
【産業上の利用可能性】
【００７３】  以上のように本発明にかかる健康データ収集装置によれば、遠隔での健康管理の質を格段に向上させることができるもので、遠隔医療の分野での利用可能性は頗る高い。
【図１】
2005048833.tif 000002
【図２】
2005048833.tif 000003
【図３】
2005048833.tif 000004
【図４】
2005048833.tif 000005
【図５】
2005048833.tif 000006
【図６】
2005048833.tif 000007
【図７】
2005048833.tif 000008
【図８】
2005048833.tif 000009
【図９】
2005048833.tif 000010
【図１０】
2005048833.tif 000011
【図１１】
2005048833.tif 000012
【図１２】
2005048833.tif 000013
【図１３】
2005048833.tif 000014
【図１４】
2005048833.tif 000015
【図１５】
2005048833.tif 000016
【図１６】
2005048833.tif 000017
【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
生体データを取得するための測定部と、
音声データ及び／又は画像データを入力するための入力部と、
前記測定部により取得した前記生体データと前記入力部で入力した前記音声データ及び／又は画像データを互いに関連付ける第１のデータ処理部と、
前記第１のデータ処理部で互いに関連付けられた前記生体データと音声データ及び／又は画像データとを記憶する第１の記憶部と、
前記第１の記憶部で記憶した互いに関連付けられた前記生体データと前記音声データ及び／又は画像データとを通信ネットワークを介して送信する第１の通信部と、
前記第１の通信部で送信された互いに関連付けられた前記生体データと前記音声データ及び／又は画像データとを蓄積する蓄積部と、
前記互いに関連付けられた前記生体データと前記音声データ及び／又は画像データとを前記蓄積部から前記通信ネットワークを介して受信する第２の通信部と、
前記第２の通信部で受信した前記生体データと音声データ及び／又は画像データを互いに関連付けて出力する第１の出力部と
を備えた健康データ収集装置。
【請求項２】
前記第１のデータ処理部は、前記生体データに対して前記音声データ及び／又は画像データが関連付けされていることを示す情報を付加して前記第１の記憶部に記憶させる請求項１に記載のデータ収集装置。
【請求項３】
前記第１のデータ処理部は、前記音声及び／又は画像データに対して前記生体データが関連付けされていることを示す情報を付加して前記第１の記憶部に記憶させる請求項１に記載のデータ収集装置。
【請求項４】
前記生体データと前記音声データ及び／又は画像データを出力する第２の出力部をさらに備え、
前記第１のデータ処理部は、前記第１の記憶部から前記生体データと前記音声データ及び／又は前記画像データを取り出して関連付けて、前記第２の出力部に出力させる請求項１から請求項３のいずれか１項に記載の健康データ収集装置。
【請求項５】
前記第２の通信部で受信した互いに関連付けられた前記生体データと音声データ及び／又は画像データとを記憶する第２の記憶部と、
前記第２の記憶部で記憶した前記生体データと前記音声データ及び／又は画像データとを取り出して関連付け、前記第１の出力部に出力させる第２のデータ処理部と
をさらに備える請求項１から請求項４のいずれか１項に記載の健康データ収集装置。
【請求項６】
被測定者が操作する操作部と、
生体データを取得するための測定部と、
音声データ及び／又は画像データを入力するための入力部と、
前記測定部により取得した前記生体データと前記入力部で入力した前記音声データ及び／又は画像データを互いに関連付けるデータ処理部と、
前記データ処理部で互いに関連付けられた前記生体データと音声データ及び／又は画像データとを記憶する記憶部と、
前記記憶部で記憶した互いに関連付けられた前記生体データと前記音声データ及び／又は画像データとを通信ネットワークを介して送信する通信部と
を備えた健康データ収集装置の端末。
【請求項７】
前記データ処理部は、前記生体データに対して前記音声データ及び／又は画像データが関連付けされていることを示す情報を付加して前記記憶部に記憶させる請求項６に記載の端末。
【請求項８】
前記データ処理部は、前記音声及び／又は画像データに対して前記生体データが関連付けされていることを示す情報を付加して前記記憶部に記憶させる請求項６に記載の端末。
【請求項９】
前記生体データと前記音声データ及び／又は画像データを出力する出力部をさらに備え、
前記データ処理部は、前記記憶部から前記生体データと前記音声データ及び／又は前記画像データを取り出して関連付けて、前記出力部に出力させる請求項６から請求項８のいずれか１項に記載の端末。
【請求項１０】
前記操作部はタッチパネルである請求項６から請求項９のいずれか１項に記載の端末。
【請求項１１】
前記操作部は押しボタンである請求項６から請求項９のいずれか１項に記載の端末。
【請求項１２】
互いに関連付けて記憶された生体データと音声データ及び／又は画像データを通信ネットワークを介して受信する通信部と、
前記通信部で受信した互いに関連付けられた前記生体データと音声データ及び／又は画像データを記憶する記憶部と，
前記生体データと前記音声データ及び／又は画像データを出力する出力部と、
前記記憶部に記憶された前記生体データと音声データ及び／又は画像データを取り出し、互いに関連付けて前記出力部に出力させるデータ処理部と
を備える健康データ収集装置の端末。
【手続補正２】
【補正対象書類名】明細書
【補正対象項目名】全文
【補正方法】変更
【補正の内容】
【発明の詳細な説明】
【技術分野】
【０００１】
本発明は、医師等の医療提供者が遠隔的に被測定者の健康状態を把握するために、在宅等において血圧や血糖等の被測定者の健康に関するデータを収集して医療提供者の利用に供する健康データ収集装置に関する。
【背景技術】
【０００２】
従来、このような健康データ収集装置にはデータ入力部と通信部を備え、通信回線によって外部の通信先と通信するものがあった（特許文献１参照）。
【０００３】
図１４は、前記特許文献１に記載された健康データ収集装置である。この健康データ収集装置は大きく分けて被測定者である患者側に設置される患者端末１と、患者端末１により収集されたデータを蓄積するための蓄積手段であるデータベースサーバー１１、アプリケーションサーバ１０、及び管理端末１２を備えたセンターサーバー３と、このセンターサーバー３に蓄積されたデータを医師等の医療提供者が参照するために医師端末２とを備える。患者端末１、センターサーバー３、及び医師端末２は、通信ネットワーク４により互いに接続されている。
【０００４】
患者端末１は、被測定者の生体データを収集するための体温計や血圧計等のバイタルセンサ５と、このバイタルセンサ５で収集されたデータを記憶する記憶部（図示せず）と、被測定者が操作するための操作部（図示せず）とを備える。また、患者端末１は、記憶部で記憶したデータをセンターサーバー３に通信ネットワーク４を介して伝送するための通信制御部６を備えている。
【０００５】
患者端末１は上記のほかに画像と音声を使用して医師端末と通信ができる患者端末のＴＶ電話装置７を備えている。
【０００６】
図１５に、図１４の健康データ収集装置の患者端末１として使用可能な装置の一例の外観図を示す。この患者端末１には被測定者が操作をするためのタッチパネル付液晶ディスプレー１４と、バイタルセンサ５の一例である体温計１３が接続されている。また、この患者端末１は、ＴＶ電話装置７の音声入力用のマイク１６と画像入力用のカメラ１７を備えている。
【０００７】
一方、図１４を参照すると、医師端末２は、センターサーバー３との通信と医師がデータを参照するための表示とを行う通信線制御部８を備えている。また、医師端末２は、患者端末１とＴＶ電話での通話を行うためのＴＶ電話装置９を備えている。
【０００８】
図１６に医師側端末２の通信制御装部８の画面表示例を示す。この画面において被測定者名を選択すると、その被測定者の患者端末１から送信された体温、血圧、脈拍等のデータが一覧表４９で表示される。
【０００９】
被測定者が体温計１３等の測定手段により測定したデータは、患者端末１の通信制御装置６に記憶された後、通信ネットワーク４を介してセンターサーバー３に伝送されてセンターサーバー３内のデータベースサーバー１１に蓄積される。
【００１０】
医師が医師端末２によりセンターサーバー３内のデータベースサーバー１１から被測定者の生体データを取り出す操作をすると、データベースサーバー１１から該当する被測定者の生体データが通信ネットワーク４を経て医師端末２の通信制御部８に呼び出され、図１６に示すようにディスプレー上に表示される。
【００１１】
医師は、表示されたデータによって被測定者の健康状態を把握し、治療や診断の参考資料として役立てる。また、必要があれば、医師は医師端末２のＴＶ電話装置９を使用して患者端末２のＴＶ電話装置７と通信を行い、画像と音声により被測定者とコミュニケーションをとることができる。
【００１２】
このように従来の健康データ収集装置は、医師と被測定者に物理的距離がある場合でも被測定者の健康データを医師が把握でき、医師と被測定者が相互に行き来することが充分できない場合でも充実した健康ケアができる環境を提供することができていた。
【００１３】
しかしながら、前記従来の健康データ収集装置には次の問題点がある。第１に、生体データの測定は被測定者自身が在宅にて行うのが普通であるが、被測定者は医療のプロではないので、生体データを測定するときに測定方法に疑問を感じたり、測定ミスを起こしたりしがちである。
【００１４】
第２に、医師等の医療提供者は、医師端末２を操作して被測定者の生体データを取り出し、図１６に示すような画面上でデータを参照しながら被測定者の健康状態を確認していく作業を行う。換言すれば、医師は数値のみによって被測定者の状況を把握する必要がある。しかしながら、前述のとおり不慣れな被測定者の測定したデータもあるので、数値のみで判断するのではなく、実際には被測定者がどのような状態で測定を行っているかという情報や、被測定者が自分の体調について気になっている事等の他の情報を参考にしながら判断する必要が生じる。
【００１５】
このような場合、医師は被測定者の状態をより詳しく把握するために被測定者と連絡を取ることになる。互いに遠隔地にいる被測定者と医師が連絡を取るための手段としては、前述のＴＶ電話や、公衆回線を使用した電話が考えられる。しかしながら、これらの通信手段はリアルタイムに双方が個々の端末もしくは電話の付近にいることが必須条件となる。被測定者がデータを送信するタイミングと医師がデータを確認するタイミングは通常の場合まったく異なるため、医師が連絡を取ろうとしても被測定者が不在で連絡が取れない場合がある。この場合、医師は何度も連絡を取る試みを行う等、大きな労力を費やす必要がある。実際に被測定者の状態が悪い場合はこの医師の労力は報われるが、前述のように単純な被測定者の測定ミス等が原因で医師が被測定者との連絡が必要であると判断した場合、医師の労力が無駄なものとなってしまう。
【００１６】
第３に、被測定者側としても測定データについて感じたことや医師への質問等を医師に伝えたいことがある。この場合も医師側と同じ課題が発生する。リアルタイムでないコミュニケーション手段としてはメール等の手段が考えられる。しかし、医師にとってはパソコン操作は容易かもしれないが、被測定者は高齢者が多いので、被測定者にとってキーボード等の入力装置の扱いは難しい。また、操作を簡単するという配慮から、患者端末１は図１５に示すようなタッチパネル付液晶ディスプレー１４等の比較的単純な入力装置を採用しているため、患者端末１を使用した文字によるコミュニケーションは非常に困難である。
【００１７】
【特許文献１】特開２００２−８３０６６号公報
【発明の開示】
【発明が解決しようとする課題】
【００１８】
本発明は、被測定者の測定した生体データに新たな情報を付加することにより遠隔での健康管理をより簡単にする健康データ収集装置を提供することを目的とする。また、本発明は、被測定者と医師等の医療提供者との間のコミュニケーションを円滑にして健康管理の質を高める健康データ収集装置を提供することを目的とする。
【課題を解決するための手段】
【００１９】
本発明の第１の態様は、生体データを取得するための測定部と、音声データ及び／又は画像データを入力するための入力部と、前記測定部により取得した前記生体データと前記入力部で入力した前記音声データ及び／又は画像データを互いに関連付ける第１のデータ処理部と、前記第１のデータ処理部で互いに関連付けられた前記生体データと音声データ及び／又は画像データとを記憶する第１の記憶部と、前記第１の記憶部で記憶した互いに関連付けられた前記生体データと前記音声データ及び／又は画像データとを通信ネットワークを介して送信する第１の通信部と、前記第１の通信部で送信された互いに関連付けられた前記生体データと前記音声データ及び／又は画像データとを蓄積する蓄積部と、前記互いに関連付けられた前記生体データと前記音声データ及び／又は画像データとを前記蓄積部から前記通信ネットワークを介して受信する第２の通信部と、前記第２の通信部で受信した前記生体データと音声データ及び／又は画像データを互いに関連付けて出力する第１の出力部とを備えた健康データ収集装置を提供する。
【００２０】
入力部によって被測定者が入力した音声データ及び／又は画像データである被測定者側からの情報は、第１のデータ処理部によって測定部で取得された生体データに関連付けられて第１の記憶部に記憶される。第１の記憶部に記憶された生体データと音声データ及び／又は画像データは、第１の通信部によって通信ネットワークを介して蓄積部に伝送され、蓄積される。蓄積部に蓄積された生体データと音声データ及び／又は画像データは通信ネットワークを介して第２の通信部に伝送される。さらに、第１の出力部により生体データと音声データ及び／又は画像データが互いに関連付けて出力される。これによって生体データに被測定者側から音声や画像の形態の新たな情報を付加して遠隔地の医療提供者に送ることができる。従って、医療提供者は、個々の生体データをより有効に活用することができ、被測定者側の情報が不足していることによる医療提供者の判断の迷いや、その迷いを解消するために医療提供者が行う必要のある確認作業の手間を減らすことができる。その結果、遠隔での健康管理をより簡単にし、その質を高めることができる。さらに、生体データと関連して被測定者側から音声や画像の形態で情報を発信することが可能となるので、被測定者と医療提供者の間のコミュニケーションがより円滑にとなり、充実した遠隔医療を実現できる。
【００２１】
前記第１のデータ処理部は、前記生体データに対して前記音声データ及び／又は画像データが関連付けされていることを示す情報を付加して前記第１の記憶部に記憶させる。生体データを参照することでそれに関連付けされた音声データ及び／又は画像データを確認することができるので、関連付けのための新たなないしは別個のデータが必要なく、関連付けをより簡単に行うことができる。
【００２２】
代案としては、前記第１のデータ処理部は、前記音声及び／又は画像データに対して前記生体データが関連付けされていることを示す情報を付加して前記第１の記憶部に記憶させる。音声データまたは画像データを参照する際の関連する生体データの参照が容易になる。その結果、被測定者が医療提供者に特に伝えたい事項や、被測定者が注目している生体データだけを医療提供者が確認すること等が容易に行え、医療提供者側の効率的なデータチェックが実現できる。
【００２３】
健康データ収集装置は、前記生体データと前記音声データ及び／又は画像データを出力する第２の出力部をさらに備えてもよい。この場合、前記第１のデータ処理部は、前記第１の記憶部から前記生体データと前記音声データ及び／又は前記画像データを取り出して関連付けて、前記第２の出力手段に出力させる。被測定者が自らの測定した生体データに付加した音声データ及び／又は画像データを確認することができる。換言すれば、被測定者は、自ら発信した情報を確認することができるばかりか、自らの測定した生体データを関連する音声データや画像データと共に履歴ないしは記録として参照し、自分自身の健康管理のために役立てることができる。
【００２４】
健康データ収集装置は、前記第２の通信部で受信した互いに関連付けられた前記生体データと音声データ及び／又は画像データとを記憶する第２の記憶部と、前記第２の記憶部で記憶した前記生体データと前記音声データ及び／又は画像データとを取り出して関連付け、前記第１の出力部に出力させる第２のデータ処理部とをさらに備えることが好ましい。
【００２５】
本発明の第２の態様は、健康データ収集装置の患者端末を提供する。詳細には、本発明の第２の態様は、被測定者が操作する操作部と、生体データを取得するための測定部と、音声データ及び／又は画像データを入力するための入力部と、前記測定部により取得した前記生体データと前記入力部で入力した前記音声データ及び／又は画像データを互いに関連付けるデータ処理部と、前記データ処理部で互いに関連付けられた前記生体データと音声データ及び／又は画像データとを記憶する記憶部と、前記記憶部で記憶した互いに関連付けられた前記生体データと前記音声データ及び／又は画像データとを通信ネットワークを介して送信する通信部とを備えた健康データ収集装置の端末を提供する。
【００２６】
患者端末は、前記生体データと前記音声データ及び／又は画像データを出力する出力部をさらに備えてもよい。この場合、前記データ処理部は、前記記憶部から前記生体データと前記音声データ及び／又は前記画像データを取り出して関連付けて、前記出力部に出力させる。
【００２７】
患者端末の操作部はタッチパネルを備える。キーボード等の高齢者には困難な入力手段を必要とせず、画面そのものに触れるという簡単な操作だけで音声や画像による情報を発信することができ、高齢者にも使いやすい。
【００２８】
代案としては、患者端末の操作部は押しボタンを備える。キーボード等の高齢者には困難な入力手段を必要とせず、押しボタンを押すという簡単な操作だけで音声や画像による情報を発信することができ、高齢者にも使いやすい。
【００２９】
本発明の第３の態様は、健康データ収集装置の医療提供者端末を提供する。詳細には、本発明の第３の態様は、互いに関連付けて記憶された生体データと音声データ及び／又は画像データを通信ネットワークを介して受信する通信部と、前記通信部で受信した互いに関連付けられた前記生体データと音声データ及び／又は画像データを記憶する記憶部と，前記生体データと前記音声データ及び／又は画像データとを出力する出力部と、前記記憶部に記憶された前記生体データと音声データ及び／又は画像データを取り出し、互いに関連付けて前記出力部に出力させるデータ処理部とを備える健康データ収集装置の端末を提供する。
【発明の効果】
【００３０】
本発明の健康データ収集装置は、生体データと関連付けられた音声データ及び／又は画像データを記憶し、さらに生体データと音声データ及び／又は画像データを互いに関連付けて出力できる。従って、被測定者側から実用性の高い情報発信をすることができ、それぞれの生体データから得られる情報量が格段に上昇する。これにより遠隔での健康管理がより簡単になり、被測定者と医師等の医療提供者との間の円滑なコミニュケーションを実現できる。
【発明を実施するための最良の形態】
【００３１】
（第１実施形態）
以下、本発明の健康データ収集装置を実施の形態に基づいて説明する。
【００３２】
図１に本発明の第１実施形態に係る健康データ収集装置のブロック図を示す。この健康データ収集装置は、大きく分けて被測定者である患者側に設置される患者端末２１と、患者端末２１により収集されたデータを蓄積するための蓄積部であるセンターサーバー２２と、センターサーバー２２に蓄積されたデータを医師等の医療提供者が参照するために医療提供者端末ないしは医師端末２３とを備える。患者端末２１、センターサーバー２２、及び医師端末２３は、通信ネットワーク２４により互いに接続されている。
【００３３】
図２を併せて参照すると、患者端末２１は、体温計や血圧計等の被測定者の生体データを収集するための測定手段としてバイタルセンサ（測定部）２５、バイタルセンサ２５用の入力回路２６、被測定者が音声を入力するためのマイク（入力部）２７、及び音声入力回路２８を備える。また、患者端末２１は、スピーカ（出力部）２９、スピーカ２９用の音声出力回路３０、液晶ディスプレー（出力部）３１、及び液晶ディスプレー３１用の画像出力回路３２を備える。
【００３４】
また、患者端末２１は、生体センサ２５で測定された生体データと、マイク２７で入力された被測定者の音声である音声データとを記憶するためのメモ（記憶部）３３を備える。さらに、患者端末２１はデータ処理部３４を有する。このデータ処理部３４は２つの機能を有する。第１の機能としては、データ処理部３４はバイタルセンサ２５からの生体データとマイク２７からの音声データを互いに関連付けてメモリ３３に記憶する。第２の機能としては、データ処理部３４は、メモリ３３に記憶された生体データと音声データを取り出して関連付けて取り出し、液晶ディスプレー３１とスピーカ２９に出力させる。さらにまた、患者端末２１は、液晶ディスプレー３１と一体化されたタッチパネル（操作部）３５を備える。通信制御部３６は、センターサーバー２２への生体データ及び音声データの送信を含む通信ネットワーク２４を介したセンターサーバー２２との通信を実行する。また、動作制御部３７は、タッチパネル３５から入力される被測定者の操作ないしは命令等に基づいて、通信制御部３６及びデータ処理部３４を含む患者端末２１の全体の動作を制御する。
【００３５】
図１を参照すると、センターサーバー２２は、データベースサーバー４０と通信制御部４１とを備える。データベースサーバー４０は、患者端末２１の通信制御部３６から受信した生体データ及び音声データを含む種々のデータを蓄積する。通信制御部４１は、患者端末２１からの生体データ及び音声データの受信、並びに医師端末２２への生体データ及び音声データの送信を含む、患者端末２１及び医師端末２２との種々の通信を実行する。
【００３６】
図３を併せて参照すると、医師端末２３は、センターサーバー２２からの生体データ及び音声データの受信を含む通信ネットワーク２４を介したセンターサーバー２２との通信を実行する通信制御部５１を備える。また、医師端末２３は、通信制御部５１が受信した生体データ及び音声データを記憶するメモリ（記憶部）５２を備える。さらに、医師端末２３は、スピーカ５３、スピーカ５３用の音声出力回路５４、ＣＲＴディスプレー（出力部）５５、及びＣＲＴディスプレー５５用の画像出力回路５６を備える。データ処理部５７はメモリ５２に記憶された生体データと音声データを取り出し、互いに関連付けてスピーカ５３とＣＲＴディスプレー５５に出力させる。
【００３７】
また、医師端末２３は、医師等の医療提供者が医師端末２を操作するためのキーボード、マウス等からなる操作部５８を備える。動作制御部５９は通信制御部５１及びデータ処理部５７を含む医師端末２３の全体の動作を制御する。
【００３８】
以下、本実施形態に係る健康データ収集装置の動作を説明する。図４に本実施形態の健康データ収集装置の患者端末２１の液晶ディスプレー３１の画面の一例を示す。この画面はバイタルセンサ２５の一例である体温計で体温を測定した直後画面を示す。体温表示エリア６１には、体温計から入力回路２６を介して入力された体温測定値（３７．５℃）が表示されている。被測定者がＯＫボタン６２を押せば体温データが確定し、データ処理部３４を介してメモリ３３に記憶される。もし、被測定者が再測定を望む場合は、再測定ボタン６３を押せば現在体温表示エリア２４に表示されている体温データがいったんクリアされ、再測定を行うことができる。
【００３９】
被測定者は測定した生体データ（この例では体温データ）に音声データとして何らかの情報を付加することができる。この例では体温表示エリア６１に表示された体温（３７．５℃）は、通常の体温より少し高い。被測定者はこのデータを測定する直前に入浴しており、その影響で少し体温が上がっている。この体温上昇の原因を被測定者は承知していたが、毎日この時間に体温を測ることになっているのでデータが欠落するのは不適切であると思い体温を測定した。このような場合に、付加的な情報を音声で入力することが好ましい。
【００４０】
詳細には、被測定者は音声録音ボタン６４を押し、マイク２７に向かって音声を入力する。この例の場合、例えば被測定者は「これを測る直前に入浴しました。」と、マイク２７に向かって話す。マイク２７から入力された音声信号は、音声入力回路２８及びデータ処理部３４を経て、生体データ（この例では体温データ）と同様にメモリ３３に記憶される。
【００４１】
音声データは、単にメモリ３３に記憶されるのではなく、データ処理部３４によって生体データと関連付けられた上でメモリ３３に記憶される。本実施形態では、データ処理部３４は生体データに対して音声データが関連付けされていることを示す情報を付加してメモリ３３に記憶させる。これとは逆に、データ処理部３４は、音声データに対して生体データが関連付けされていることを示す情報を付加してメモリ３３に記憶させてもよい。
【００４２】
本実施形態における生体データ（体温データ）のデータ構造を図５に示す。１つの体温データは、日付エリア６５、時刻エリア６６、及び体温エリア６７に加え、被測定者により録音された音声ファイルのファイル名が収容されている関連付けられた音声ファイル名エリア６８からなっている。例えば２００３年１月１日の８時８分の体温データは３７．５℃で、関連付けられた音声ファイル名は"２００３１０１０８０８ｔａｉｏｎ．ｗａｖ"である。
【００４３】
以上のように、生体データとそれに関連付けられた音声ファイルが患者端末２１のメモリ３３内に記憶される。被測定者がタッチパネル３５を操作してデータ送信命令を患者端末２１に入力すると、通信制御部３６はメモリ３３から該当する生体データ（この例では体温データ）とそれに関連付けられた音声データを読み出し、通信ネットワーク４を経てセンターサーバー２２に送信する。生体データとそれに関連付けられた音声データはセンターサーバー２２の通信制御部４１により受信され、データベースサーバー４０に蓄えられる。
【００４４】
医師は、医師端末２を操作して、該当する被測定者のデータを取り出すことができる。詳細には、医師が医師端末２の操作部５８を操作して受信命令を医師端末２３に入力すると、医師端末２の通信制御部５１から通信ネットワーク２４を介してセンターサーバー２２へ受信要求が送られる。センターサーバー２２の通信制御部４１がこの受信要求を受信すると、データベースサーバー４０から該当する生体データが取り出される。通信制御部４０は取り出された生体データを通信ネットワーク２４経由で医師端末２３に送信する。
【００４５】
生体データは医師端末２３の通信制御部５１で受信され、メモリ５２に記憶される。また、受信された生体データ５１はデータ処理部５７及び画像出力回路５６を経てＣＲＴディスプレー５５に表示される。図６に医師端末２３のＣＲＴディスプレー５５に表示された画面の一例を示す。ドラッグメニュー７０で被測定者名を指定すると、生体データが一覧表の形式で表示される。前述した体温データは体温データエリア７１に表示されている。
【００４６】
データ処理部５７は、ＣＲＴディスプレー５５で表示する生体データにそれに関連付けられた音声データが存在すると、その生体データの右隣の欄に音声メモボタンを表示するようになっている。図６の例では、前述のように体温データについて被測定者により音声が録音されているので体温エリア７１の右隣に音声メモボタン７２が表示されている。同様に、血糖値データを含む血糖値エリア７３の右隣にも音声メモボタン７４が表示されている。一方、体重データを含む体重エリア７５には関連付けられた音声データがないので、音声メモボタンのエリアは空欄７６となっている。
【００４７】
医師が図６中の体温エリア７１の右隣の音声メモボタン３３をクリックすると、データ処理部５７はメモリ５２中の体温データ（図５）を参照し、当該体温データに関連付けられた音声ファイルのファイル名を取得する。次に、データ処理部５７は医師端末２３の通信制御部５１、通信ネットワーク２４、及びセンターサーバー２２の通信制御部４１を介してデータベースサーバー４０にアクセスして、データベースサーバー４０を検索する。その結果、当該体温データに関連付けられた音声ファイルが医師端末２３のメモリ５２にダウンロードされる。ダウンロードされた音声ファイルに格納された音声データは、データ処理部５７及び音声出力回路５４を介してスピーカ５３から出力される。
【００４８】
この例では、被測定者により録音された「これを測る直前に入浴しました。」と音声がスピーカ５３で再生される。これにより医師は３７．５℃という比較的高い体温が体調の異常ではなく、被測定者が体温測定の直前に入浴したことに起因することを直ちに把握することができる。よって、医師はこの体温データに対して特に確認する必要がなく、特段の労力を要しない。また、親切な医師であれば、測定に対して適切なアドバイスをすることもできる。この場合、緊急性を要しないので、電子メール等の通信手段を使用すれば被測定者及び医師とも時間を拘束されず円滑にコミュニケーションをはかることができる。
【００４９】
図６の血糖値エリア７３には、１００ｍｇ／ｄｌという血糖値データ表示されており、前述のように血糖値エリア７３に対応する音声メモボタン７４が表示されている。この音声メモボタン７４がクリックされると、スピーカ５３により被測定者の音声が再生される。例えば、被測定者が音声データとして「このデータは正常なのでしょう？」と質問を録音していれば、スピーカ５３からこの質問の音声が再生される。医師は被測定者の質問を直ちに把握することができ、これに対して適切な返答を行うことができる。
【００５０】
このように本実施形態の健康データ収集装置によれば、生体データに関連付けた音声データにより被測定者側から医師側に情報発信をすることができるため、医師はそれに対して適切なアドバイスを返信することが可能となる。
【００５１】
被測定者は、患者端末１により自分自身が録音した音声を再生することも可能である。図７に患者端末２１の液晶ディスプレー３１に表示された体温データの確認画面の一例を示す。この図では、メモリ３３に記憶された体温データが日付及び時刻とともに一覧表の形式で表示されている。データ処理部３４は、体温データにそれに関連付けられた音声データが存在する場合、その体温データのデータ表示エリア７８の右隣に音声メモボタン７９を表示するようになっている。例えば、２００３年１月１日の８時８分の体温データにはそれに関連付けられた音声データが存在するので、医師端末２の画面（図６参照）と同様に、体温データ表示エリア７８の右隣に音声メモボタン７９が表示されている。
【００５２】
被測定者が図７中の音声メモボタン７９を押すと、データ処理部３４はメモリ３３内を検索する。その結果、当該体温データに関連付けられた音声データが音声出力回路３０を介してスピーカ２９から出力される。従って、被測定者は音声メモボタン７９を押すだけで、自分自身が録音した音声データを確認することができる。
【００５３】
このように、本実施形態の健康データ収集装置は、患者端末２１により生体データと関連付けられた音声データを記憶し、それらを関連付けてセンターサーバー２２に出力し、さらに医師端末２３で生体データと共に関連付けられた音声データを閲覧できるようにしたため、被測定者側から医師側に実用性の高い情報発信をすることができ、医師が個々の生体データから得られる情報量が格段に上昇させることができる。従って、医師側にとっては生体データだけでは困難な判断も、それに関連付けられた音声データを組み合わせることで判断が飛躍的な容易になる。これにより医師の無駄な労力が軽減され、必要な仕事に注力することができる。
【００５４】
また、被測定者側にとっても、電話等で医師に尋ねるのをためらうような僅かに疑問に思っていること等を手軽に情報発信し、医師に伝えることができる。従って、医師側と被測定者側のコミュニケーションが円滑に行え、両者の信頼関係をより密にすることができる等、遠隔での健康管理の質を格段に向上させることができる。
【００５５】
さらに患者端末１側にはタッチパネル３５のようなシンプルなインターフェースを用いているので、キーボードやマウス等のような比較的操作の難度が高い入力装置の使用を高齢者に強いる必要がない。
【００５６】
（第２実施形態）
本発明の第２実施形態の健康データ収集装置は、音声データに加え画像データを生体データに付加できる点が第１実施形態と異なる。
【００５７】
図８を参照すると、第２実施形態における患者端末２１は、画像撮影用のカメラ３８及びカメラ３８用の画像入力回路３９を備える。データ処理部３４はバイタルセンサ２５からの生体データをカメラ３８からの画像データ及びマイク２７からの音声データに互いに関連付けてメモリ３３に記憶する機能を有する。また、データ処理部３４は、メモリ３３に記憶された生体データとそれに関連付けられた画像データ３４及び音声データを取り出し、液晶ディスプレー３１とスピーカ２９に出力させる機能を有する。
【００５８】
第２実施形態における医師端末２３のデータ処理部５７（図３参照）は、メモリ５２に記憶された生体データと音声データ及び画像データを取り出し、それらを互いに関連付けてスピーカ５３とＣＲＴディスプレー５５に出力させる。
【００５９】
また、第２実施形態におけるセンターサーバー２２のデータベースサーバー４０は、患者端末２１の通信制御部３６から受信した生体データ、音声データ、及び画像データを含む種々のデータを蓄積する。
【００６０】
図９に本実施形態の健康データ収集装置の患者端末２１の液晶ディスプレー３１の画面の一例を示す。体温表示エリア６１には体温データが表示されており、ＯＫボタン６２が押されると体温データが確定し、再測定ボタン６３が押されれば再測定が可能となる。被測定者は、画像撮影ボタン１６４を押した後、カメラ３８に向いて動作を行いつつ、マイク２７に向かって音声を入力する。カメラ３８で撮影された画像及びマイク２７で入力された音声は、データ処理部３４により生体データ（この例では体温データ）に対して関連付けてメモリ３３に記憶される。以上のように、被測定者は画像と音声により生体データに情報を付加することができる。
【００６１】
メモリ３３に記憶された生体データとそれに関連付けられた音声データ及び画像データは、患者端末２１からセンターサーバー２２へ通信ネットワーク２４経由で送信され、データベースサーバー４０に蓄積される。
【００６２】
データベースサーバー４０に蓄積された生体データは医師端末２３で受信され、メモリ５２に記憶される。図１０は医師端末２３の画面の一例を示し、被測定者名指定用のドラッグメニュー７０、体温エリア７１、血糖値エリア７３、及び体重エリア７５を含む。体温エリア７１の隣に表示された画像メモボタン１７２がクリックされると、データ処理部５７はメモリ５２中の体温データ（図５）を参照し、当該体温データに関連付けられた音声ファイル及び画像ファイルのファイル名を取得する。次に、データ処理部５７はデータベースサーバー４０にアクセスして検索を実行する。その結果、当該体温データに関連付けられた音声ファイル及び画像データが医師端末２３のメモリ５２にダウンロードされる。ダウンロードされた音声ファイルに格納された音声データは、データ処理部５７及び音声出力回路５４を介してスピーカ５３から出力される。また、ダウンロードされた画像ファイルに格納された画像データは画像出力回路５６を介してＣＲＴディスプレー５５で再生される。血糖値エリア７３の隣に表示された画像メモボタン１７４がクリックされた場合も、同様の手順で血糖値データに関連付けられた音声データ及び画像データがスピーカ５３とＣＲＴディスプレー５５により再生される。以上のように、医師は医師端末２３により生体データに関連付けられた被測定者の画像と音声を閲覧できる。
【００６３】
図１１は患者端末２１に表示された体温データの確認画面の一例を示す。体温データのデータ表示エリア１７８の右隣の画像メモボタン１７９が押されると、データ処理部３４はメモリ３３内を検索する。その結果、当該体温データに関連付けられた音声データが音声出力回路３０を介してスピーカ２９から出力され、かつ当該体温データに関連付けられた画像データが画像出力回路３２を介して液晶ディスプレー３１で再生される。従って、被測定者は画像メモボタン１７９を押すだけで、自分自身が録音した音声と録画した画像を確認することができる。
【００６４】
（第３実施形態）
図１２に本発明の第３実施形態に係る健康データ収集装置の患者端末２２１の外観図を示す。第１実施形態と異なる点は、液晶ディスプレー２４０は備えるがタッチパネル（図２の符号３５）は備えていない点である。換言すれば、液晶ディスプレー２４０は、表示の機能のみを有する。
【００６５】
本実施形態の患者端末２２１は、タッチパネルに代わる操作部として、上下ボタン２４４、ＯＫボタン２４３、キャンセルボタン２４２、及び数字ボタン２４１を備える。これらのボタンはすべて押しボタンである。また、患者端末２２１は、第１実施形態の患者端末２１と同様に、音声入力用のマイク２１６を備える。
【００６６】
図１３は、液晶ディスプレー２４０の画面の一例を示す。この例は、第１実施形態の図４と同様、体温を測定した直後の画面である。この画面は体温表示エリア２４５、終了メニュー２４６、再測定メニュー２４７、及び音声録音メニュー２４８を含む。
【００６７】
患者端末１の基本操作は、画面を見ながら上下ボタン２４４によってメニュー項目を選択し、ＯＫボタン２４３によってメニューの実行を確定することによって行う。選択されている項目は、背景が黒色で生じされ、文字や記号が白色で表示される。
【００６８】
図１３の例では、音声録音メニュー２４８が選択されている。この状態で被測定者がＯＫボタン２４３を押せば録音が開始され、被測定者がマイク２１６に向かって話せばそれが録音される。
【００６９】
文字や記号の表示用の液晶ディスプレー２４０と操作用の押しボタン２４１〜２４４の組合せにより、患者端末２２１から入力可能な健康管理に役立つ情報量を増やすことができるので、より充実した健康管理サービスが達成できる。また、押しボタン２４１〜２４４は、キーボード等の入力装置のような比較的高度な操作は不要であるので、高齢者にも使いやすい。
【００７０】
添付図面を参照して本発明を完全に説明したが、当業者にとって種々の変更及び変形が可能である。従って、そのような変更及び変形は辺発明の意図及び範囲から離れない限り、本発明に含まれると解釈されなければならない。
【産業上の利用可能性】
【００７１】
以上のように本発明にかかる健康データ収集装置によれば、遠隔での健康管理の質を格段に向上させることができるもので、遠隔医療の分野での利用可能性は頗る高い。
【図面の簡単な説明】
【００７２】
【図１】本発明の第１実施形態に係る健康データ収集装置のブロック図。
【図２】本発明の第１実施形態における患者端末のブロック図。
【図３】本発明の第１実施形態における医師端末のブロック図。
【図４】本発明の第１実施形態における健康データ収集装置の患者端末の画面イメージ図。
【図５】本発明の第１実施形態における健康データ収集装置のデータ構造図。
【図６】本発明の第１実施形態における健康データ収集装置の医師端末の画面イメージ図。
【図７】本発明の第１実施形態における健康データ収集装置の患者端末の画面イメージ図。
【図８】本発明の第２実施形態に係る健康データ収集装置の患者端末のブロック図。
【図９】本発明の第２実施形態における健康データ収集装置の患者端末の画面イメージ図。
【図１０】本発明の第２実施形態における健康データ収集装置の医師端末の画面イメージ図。
【図１１】本発明の第２実施形態における健康データ収集装置の患者端末の画面イメージ図。
【図１２】本発明の第３実施形態における健康データ収集装置の外観図。
【図１３】本発明の第３実施形態における健康データ収集装置の患者端末の画面イメージ図。
【図１４】従来の健康データ収集装置のブロック図。
【図１５】従来の健康データ収集装置の外観図。
【図１６】従来の健康データ収集装置の医師端末の画面イメージ図。
【符号の説明】
【００７３】
２１  患者端末
２２  センターサーバー
２３  医師端末
２４  通信ネットワーク
２５  バイタルセンサ
２７  マイク
２８  音声入力回路
３１  液晶ディスプレー
３３，５２  メモリ
３４，５７  データ処理部
３５  タッチパネル
３６，４１，５１  通信制御部
３８  カメラ
３９  画像入力回路
４０  データベースサーバー
５５  ＣＲＴディスプレー
３２，５６  画像出力回路
５８  操作部
６４  音声録音ボタン
７４，７９  音声メモボタン
３５  音声メモボタン
１６４  画像撮影ボタン
１７２，１７４，１７９  画像メモボタン
【手続補正３】
【補正対象書類名】図面
【補正対象項目名】全図
【補正方法】変更
【補正の内容】
【図１】
2005048833.tif 000018
【図２】
2005048833.tif 000019
【図３】
2005048833.tif 000020
【図４】
2005048833.tif 000021
【図５】
2005048833.tif 000022
【図６】
2005048833.tif 000023
【図７】
2005048833.tif 000024
【図８】
2005048833.tif 000025
【図９】
2005048833.tif 000026
【図１０】
2005048833.tif 000027
【図１１】
2005048833.tif 000028
【図１２】
2005048833.tif 000029
【図１３】
2005048833.tif 000030
【図１４】
2005048833.tif 000031
【図１５】
2005048833.tif 000032
【図１６】
2005048833.tif 000033
【国際調査報告】
2005048833.tif 000034
2005048833.tif 000035